(57)【要約】【課題】本発明の課題は、デジタルコンテンツデータの違法な複製および配信を効果的に防止することができる、著作権の保護技術を提供することである。【解決手段】本発明に係る配信システム１は、配信装置１１によって配信されるデジタル音楽データを、データ受信・再生装置１３によって受信して再生し、データ受信・記録装置１５によって受信して記録媒体に記録するものである。配信装置１１により配信されるデジタル音楽データには、該データについて、ネットワークＮを介した配信の可否および複製の可否を示す埋込データが埋め込まれる。そして、データ受信・再生装置１３は、ネットワークＮを介した配信が許諾されていることを示す埋込データが埋め込まれたデジタル音楽データのみを再生し、データ受信・記録装置１５は、ネットワークＮを介した配信が許諾され、かつ、複製が許諾されているデジタル音楽データのみを記録媒体に記録する。【選択図】　　　　図１
2004139646.tif 000002
【特許請求の範囲】
【請求項１】
通信回線を介してコンテンツデータを受信する受信手段と、
この受信手段により受信されたコンテンツデータを記録媒体に記録する記録手段とを備えるデータ記録装置において、
前記受信手段により受信されたコンテンツデータに、当該コンテンツデータの配信を許諾することを示す電子透かし情報が含まれていない場合には、前記記録手段による当該コンテンツデータの記録を阻止する記録制御手段を備えることを特徴とするデータ記録装置。
【請求項２】
前記受信手段により受信されたコンテンツデータに、当該コンテンツデータの複製を一世代に限って許諾することを示す電子透かし情報が含まれている場合に、当該コンテンツデータに含まれる電子透かし情報を当該コンテンツデータの複製を許諾しないことを示す電子透かし情報に書き換える書換手段を備え、
前記記録手段は、前記書換手段により電子透かし情報が書き換えられたコンテンツデータを記録することを特徴とする請求項１記載のデータ記録装置。
【請求項３】
前記書換手段は、前記コンテンツデータに含まれる電子透かし情報自体を、当該コンテンツデータの複製を許諾しないことを示す電子透かし情報に書き換えることを特徴とする請求項２記載のデータ記録装置。
【請求項４】
通信回線を介してコンテンツデータを受信する受信手段と、
この受信手段により受信されたコンテンツデータを再生する再生手段とを備えるデータ再生装置において、
前記受信手段により受信されたコンテンツデータに、当該コンテンツデータの配信を許諾しないことを示す電子透かし情報が含まれている場合には、前記再生手段による当該コンテンツデータの再生を阻止する再生制御手段を備えることを特徴とするデータ再生装置。
【請求項５】
通信回線を介してコンテンツデータを受信する受信手段と、
この受信手段により受信されたコンテンツデータを出力する出力手段とを備えるデータ出力装置において、
前記受信手段により受信されたコンテンツデータに、当該コンテンツデータの配信を許諾することを示す電子透かし情報が含まれていない場合には、前記出力手段による当該コンテンツデータの出力を阻止する出力制御手段を備えることを特徴とするデータ出力装置。
【請求項６】
前記出力手段による前記コンテンツデータの出力は、前記コンテンツデータの再生、記録、もしくは送信のための出力であることを特徴とする請求項５記載のデータ出力装置。
【請求項７】
通信回線を介してコンテンツデータを配信する配信装置と、この配信装置に対して前記通信回線を介して接続されるデータ出力装置とを備えてなる配信システムにおいて、
前記配信装置は、前記コンテンツデータに、所定のデータを電子透かし情報として含ませて配信するものであり、
前記データ出力装置は、
前記通信回線を介してコンテンツデータを受信する受信手段と、
この受信手段により受信されたコンテンツデータを出力する出力手段と、
前記受信手段により受信されたコンテンツデータに、当該コンテンツデータの配信を許諾することを示す電子透かし情報が含まれていない場合には、前記出力手段による当該コンテンツデータの出力を阻止する出力制御手段とを備えることを特徴とする配信システム。
【請求項８】
前記データ出力装置は、前記受信手段により受信されたコンテンツデータに、当該コンテンツデータの複製を一世代に限って許諾することを示す電子透かし情報が含まれている場合に、当該コンテンツデータに含まれる電子透かし情報を当該コンテンツデータの複製を許諾しないことを示す電子透かし情報に書き換える書換手段を備え、
前記データ出力装置が有する前記出力手段は、前記書換手段により電子透かし情報が書き換えられたコンテンツデータを出力することを特徴とする請求項７記載の配信システム。
【発明の詳細な説明】
【０００１】
【発明の属する技術分野】
本発明は、コンテンツデータを記録するデータ記録装置、コンテンツデータを再生するデータ再生装置、コンテンツデータを出力するデータ出力装置及びこのデータ出力装置を含んでなる配信システムに関する。
【０００２】
【従来の技術】
近年、音楽や画像、文書等のコンテンツがデジタルデータとして流通するようになり、ＥＭＤ（Ｅｌｅｃｔｒｏｎｉｃ　Ｍｕｓｉｃ　Ｄｉｓｔｒｉｂｕｔｉｏｎ：デジタル音楽配信）と呼ばれるサービスも開始されている。これに伴って、コンテンツデータの著作権の保護が重要な課題となり、様々な手法が提案されている。
【０００３】
ＣＤ等に用いられる著作権管理手法として、ＳＣＭＳ（Ｓｅｒｉａｌ　Ｃｏｐｙ　Ｍａｎａｇｅｍｅｎｔ　Ｓｙｓｔｅｍ　）を挙げて説明すると、パッケージ販売されるＣＤ（Ｃｏｍｐａｃｔ　Ｄｉｓｋ）に記録されたデジタル音楽データには、ＳＣＭＳ情報と呼ばれるデータが付加されていた。このＳＣＭＳ情報は、デジタルデータとしての複製を制限する情報であり、主に一世代に限って複製を許諾するものであった。そして、デジタル音楽データを再生・記録可能なオーディオ機器により、デジタル音楽データをＣＤからＭＤ（Ｍｉｎｉ　Ｄｉｓｋ　）へ複製する場合には、ＳＣＭＳ情報に従って一世代に限ってデジタルコピーが可能であり、二世代以上のデジタルコピーは不可能となっていた。
【０００４】
また、インターネット等のネットワークを介して不特定多数の端末装置に配信されたコンテンツ等の著作権侵害行為を抑制する装置として、コンテンツを複数の帯域に分割し、分割した帯域毎に電子透かし情報を含ませて、配信されたコンテンツの各帯域毎の電子透かし情報の残存状態に応じて、コンテンツの記録媒体への記録の可否を判断する装置がある（例えば、特許文献１参照。）。
【０００５】
【特許文献１】
特開２００１−１８８５４９号公報
【０００６】
【発明が解決しようとする課題】
しかしながら、最近では、デジタルコンテンツデータがパーソナルコンピュータによって処理されるようになり、ＳＣＭＳ情報ごとコンテンツデータが複製されてしまうことがあった。このような場合、ＳＣＭＳ情報は常に一世代の複製を許諾することとなってしまい、実質的に、複製を制限することができないという問題があった。
【０００７】
また、デジタルコンテンツデータが制限なく複製されてしまうことで、本来はネットワークを介した配信が許諾されていないデジタルコンテンツデータが、ネットワークを介して広く配信され、複製が繰り返されてしまうという問題があった。
また、コンテンツを複数の帯域に分割し、分割した帯域毎に電子透かし情報を含ませて、配信されたコンテンツの各帯域毎の電子透かし情報の残存状態に応じて、コンテンツの記録媒体への記録の可否を判断する装置では、帯域毎のフィルタ処理や検出処理等の処理が複雑になるという問題があった。
【０００８】
本発明の課題は、デジタルコンテンツデータの違法な複製を効果的に防止するとともに、違法に複製されたデジタルコンテンツデータの配信をも効果的に防止することができる、著作権の保護技術を提供することである。
【０００９】
【課題を解決するための手段】
上記課題を解決するため、請求項１記載の発明は、
通信回線を介してコンテンツデータを受信する受信手段と、
この受信手段により受信されたコンテンツデータを記録媒体に記録する記録手段とを備えるデータ記録装置において、
前記受信手段により受信されたコンテンツデータに、当該コンテンツデータの配信を許諾することを示す電子透かし情報が含まれていない場合には、前記記録手段による当該コンテンツデータの記録を阻止する記録制御手段を備えることを特徴としている。
【００１０】
更に、請求項２記載のデータ記録装置において、前記受信手段により受信されたコンテンツデータに、当該コンテンツデータの複製を一世代に限って許諾することを示す電子透かし情報が含まれている場合に、当該コンテンツデータに含まれる電子透かし情報を当該コンテンツデータの複製を許諾しないことを示す電子透かし情報に書き換える書換手段を備え、前記記録手段は、前記書換手段により電子透かし情報が書き換えられたコンテンツデータを記録することが効果的である。
【００１１】
更に、請求項３記載のデータ記録装置において、前記書換手段は、前記コンテンツデータに含まれる電子透かし情報自体を、当該コンテンツデータの複製を許諾しないことを示す電子透かし情報に書き換えることが効果的である。
【００１２】
更に、請求項４記載の発明は、
通信回線を介してコンテンツデータを受信する受信手段と、
この受信手段により受信されたコンテンツデータを再生する再生手段とを備えるデータ再生装置において、
前記受信手段により受信されたコンテンツデータに、当該コンテンツデータの配信を許諾しないことを示す電子透かし情報が含まれている場合には、前記再生手段による当該コンテンツデータの再生を阻止する再生制御手段を備えることを特徴としている。
【００１３】
更に、請求項５記載の発明は、
通信回線を介してコンテンツデータを受信する受信手段と、
この受信手段により受信されたコンテンツデータを出力する出力手段とを備えるデータ出力装置において、
前記受信手段により受信されたコンテンツデータに、当該コンテンツデータの配信を許諾することを示す電子透かし情報が含まれていない場合には、前記出力手段による当該コンテンツデータの出力を阻止する出力制御手段を備えることを特徴としている。
【００１４】
更に、請求項６記載のデータ出力装置において、前記出力手段による前記コンテンツデータの出力は、前記コンテンツデータの再生、記録、もしくは送信のための出力であることが効果的である。
【００１５】
更に、請求項７記載の発明は、
通信回線を介してコンテンツデータを配信する配信装置と、この配信装置に対して前記通信回線を介して接続されるデータ出力装置とを備えてなる配信システムにおいて、
前記配信装置は、前記コンテンツデータに、所定のデータを電子透かし情報として含ませて配信するものであり、
前記データ出力装置は、
前記通信回線を介してコンテンツデータを受信する受信手段と、
この受信手段により受信されたコンテンツデータを出力する出力手段と、
前記受信手段により受信されたコンテンツデータに、当該コンテンツデータの配信を許諾することを示す電子透かし情報が含まれていない場合には、前記出力手段による当該コンテンツデータの出力を阻止する出力制御手段とを備えることを特徴としている。
【００１６】
更に、請求項８記載の配信システムにおいて、前記データ出力装置は、前記受信手段により受信されたコンテンツデータに、当該コンテンツデータの複製を一世代に限って許諾することを示す電子透かし情報が含まれている場合に、当該コンテンツデータに含まれる電子透かし情報を当該コンテンツデータの複製を許諾しないことを示す電子透かし情報に書き換える書換手段を備え、前記データ出力装置が有する前記出力手段は、前記書換手段により電子透かし情報が書き換えられたコンテンツデータを出力することが効果的である。
【００１７】
【発明の実施の形態】
以下、図１〜図７を参照して、本発明の実施の形態について説明する。なお、以下の実施の形態において、埋込データは請求項に記載の電子透かし情報に対応する。
【００１８】
［第１の実施の形態］
図１は、本発明を適用した第１の実施の形態における配信システム１の概略構成を示す図である。
この図１に示すように、配信システム１は、ネットワークＮによって互いに接続された配信装置１１、データ受信・再生装置１３及びデータ受信・記録装置１５によって構成される。また、配信システム１は、ネットワークＮに接続されないデータ読取・記録装置１７をも含むものである。
【００１９】
配信システム１において、データ受信・再生装置１３は、配信装置１１によりネットワークＮを介して送信されるデータを受信して再生する装置であり、データ受信・記録装置１５は、配信装置１１からネットワークＮを介して送信されるデータを受信して、後述する記録媒体に記録する装置である。
【００２０】
また、データ読取・記録装置１７は、後述するように、音楽ＣＤ（Ｃｏｍｐａｃｔ　Ｄｉｓｃ）等の既にデータが記録された状態でパッケージ販売される記録媒体、すなわちパッケージメディアや、デジタル音楽データが記録されたその他のメディアからデータを読み取って、他の記録媒体に記録する装置である。
【００２１】
ネットワークＮは、専用線、公衆電話回線、衛星通信回線等の各種通信回線や図示しない各種サーバ等を含んで構成され、その具体的態様は特に限定されない。また、配信装置１１、データ受信・再生装置１３およびデータ受信・記録装置１５の各装置とネットワークＮとの間には、ＩＳＰ（Ｉｎｔｅｒｎｅｔ　Ｓｅｒｖｉｃｅ　Ｐｒｏｖｉｄｅｒ　）やＮＳＰ（Ｎｅｔｗｏｒｋ　Ｓｅｒｖｉｃｅ　Ｐｒｏｖｉｄｅｒ）等が提供するサーバやファイアーウォール、ゲートウェイ装置等の各種機器が介在する構成としても良いが、ここでは図示しない。
【００２２】
ここで、配信システム１において配信、再生及び記録されるデータについて説明する。
【００２３】
本第１の実施の形態では、配信システム１において、コンテンツデータとして音楽データを配信、再生、読取および記録する例について説明する。従来から、パッケージ販売されるＣＤやＤＶＤ（Ｄｉｇｉｔａｌ　Ｖｅｒｓａｔｉｌｅ　Ｄｉｓｃ）等に記録されたデジタル音楽データには、ＳＣＭＳ（Ｓｅｒｉａｌ　Ｃｏｐｙ　Ｍａｎａｇｅｍｅｎｔ　Ｓｙｓｔｅｍ）と呼ばれるデータが付加されている。ここで、ＳＣＭＳ情報の構成を表１に示す。
【表１】
2004139646.tif 000003
【００２４】
上記表１に示すように、ＳＣＭＳ情報は２ビットで構成されており、デジタル音楽データの複製に関して、３通りの制限を示している。
例えば、ＳＣＭＳ情報「００」は、「Ｃｏｐｙ　Ｆｒｅｅ　」すなわち複製について制限がないことを示している。また、ＳＣＭＳ情報「１０」は、「Ｏｎｅ　Ｇｅｎｅｒａｔｉｏｎ　Ｃｏｐｙ　Ｐｅｒｍｉｔｔｅｄ　」すなわち一世代の複製のみ許諾されていることを示し、ＳＣＭＳ情報「１１」は、「Ｎｏ　Ｍｏｒｅ　Ｃｏｐｙ　」すなわち複製が禁止されていることを示している。
【００２５】
従って、デジタル音楽データにＳＣＭＳ情報「１０」が付加されている場合、そのデジタル音楽データは、一世代に限り、デジタルデータとして複製することが可能である。例えば、パッケージ販売されているＣＤを購入したユーザが、このＣＤに記録されたデジタル音楽データをＣＤ−ＲやＣＤ−ＲＷ等のディスクメディアや、半導体メモリメディアに記録することは可能であるが、そのディスクメディアや半導体メモリメディアから、さらに他のメディアにデジタル音楽データをデジタルコピーすることは許諾されていない。
【００２６】
また、パッケージ販売されているＣＤに記録されたデジタル音楽データには、著作権を主張する電子データが信号ビット列の中の１ビットの著作権情報ビットで付加されているが、これを改竄が困難な電子透かし情報として特定のデータを挿入することで表示することも可能である。ＣＤの場合、ＳＣＭＳの情報の「００」に対応する状態は、この著作権情報の１ビットが「１」に対応していて、「１０」に対応する状態は、この著作権ビットが「０」の状態に対応する。
【００２７】
また、ＳＣＭＳの「１１」に対応する状態は、この著作権情報の１ビットがおおよそ１秒の周期で１と０が交互に出てくる状態で対応している。
このように複雑な構造になったのは、元々ＳＣＭＳの考え方がＣＤが発売された後、デジタル録音装置ＤＡＴが市場に投入される時点で決められたせいである。
ＤＡＴの場合は、最初から著作権情報として２ビットが割り当てられていたので、ＳＣＭＳ本来のビット構造をとっている。つまり、ＳＣＭＳの情報には著作権を主張する情報とコピー世代を示す情報の双方が含まれている。
【００２８】
同様に、デジタル音楽データにＳＣＭＳ情報「００」が付加されている場合、そのデジタル音楽データは自由にデジタルコピーすることが可能であり、デジタル音楽データにＳＣＭＳ情報「１１」が付加されている場合、そのデジタル音楽データは既に一回コピーされたコンテンツを示し、更なるデジタルコピーは不可能である。なお、現在市販されているデジタル音楽データのデジタルコピーが可能な機器は、概ねＳＣＭＳ情報の制限に準じた動作を行うものとなっている。
【００２９】
さらに、本第１の実施の形態では、配信システム１において配信、再生及び記録されるデジタル音楽データには、３ビットのデータが埋め込まれているものとする。この３ビットのデータを、以下、「埋込データ」と称呼し、その構成を表２に示す。
【表２】
2004139646.tif 000004
【００３０】
上記表２に示すように、３ビットで構成される埋込データは、先頭の１ビットである「第１ビット」と、この第１ビットに次ぐ２ビットの「第２，第３ビット」とに分けられる。
第１ビットは、該埋込データが埋め込まれたデジタル音楽データが、ＥＭＤ（Ｅｌｅｃｔｒｏｎｉｃ　Ｍｕｓｉｃ　Ｄｉｓｔｒｉｂｕｔｉｏｎ　）のサービス等による配信が許諾されたデータであるか否かを示す。具体的には、第１ビットが「０」であれば、該埋込データが埋め込まれたデジタル音楽データは配信が許諾されないデータであり、第１ビットが「１」であれば、該埋込データが埋め込まれたデジタル音楽データは配信が許諾されたデータである。
【００３１】
なお、ここで配信が許諾されたデータとは、著作権者等によりＥＭＤ等による配信が正規に許諾されたデジタル音楽データであり、正規に認証された配信装置１１によって、通常のデジタル音楽データに埋込データを埋め込んでなるものである。従って、デジタル音楽データが通信ネットワークを介して配信されたもの総てが配信用のデータであるとは限らない。
【００３２】
例えば、パッケージ販売されるメディアに記録されたデジタル音楽データは、著作権者等の意図により、該メディアを再生する装置による利用のみが許諾され、ネットワークを介した配信が許諾されないことが想定される。このような場合、パッケージ販売されるデジタル音楽データには、第１ビットが「０」の埋込データが埋め込まれる。
【００３３】
一方、ネットワークを介して配信されることを想定して作成されたデジタル音楽データには、第１ビットが「１」の埋込データが埋め込まれる。さらに、パッケージ販売されるメディアに記録されるデジタル音楽データであっても、著作権者等の意図により、ネットワークを介した配信が許諾される場合も想定される。このような場合、第１ビットが「１」の埋込データが埋め込まれたデジタル音楽データを記録したメディアがパッケージ販売されることもあり得る。
【００３４】
また、表２に示す第２，第３ビットのデータは２ビットでひとまとまりになっており、デジタル音楽データの複製に関して、３通りの制限を示す情報である。例えば、第２，第３ビットのデータが「００」の場合、「Ｃｏｐｙ　Ｆｒｅｅ　」すなわち複製について制限がないことを示している。また、第２，第３ビットのデータが「１０」の場合、「Ｏｎｅ　Ｇｅｎｅｒａｔｉｏｎ　Ｃｏｐｙ　Ｐｅｒｍｉｔｔｅｄ　」すなわち一世代の複製のみ許諾されていることを示し、第２，第３ビットのデータが「１１」の場合は、「Ｎｅｖｅｒ　Ｃｏｐｙ　」もしくは「Ｎｏ　Ｍｏｒｅ　Ｃｏｐｙ　」すなわち複製が禁止されていることを示している。
【００３５】
従って、例えば埋込データ「０１０」が埋め込まれたデジタル音楽データは、パッケージメディアに記録されていたデータであって、一世代のみデジタルデータとして複製することが可能である。
このように、３ビットで構成される埋込データは、デジタル音楽データの出自と、該デジタル音楽データに関して定められたデジタルコピーの制限とを示すデータである。
【００３６】
また、例えば、埋込データ「０１０」が埋め込まれたデジタル音楽データについて、１回の複製を行った場合、埋込データを「０１１」に書き換えれば、複製に関する制限が「Ｏｎｅ　Ｇｅｎｅｒａｔｉｏｎ　Ｃｏｐｙ　Ｐｅｒｍｉｔｔｅｄ　」から「Ｎｏ　Ｍｏｒｅ　Ｃｏｐｙ　」へ変化する。すなわち、埋込データが指定した通り、一世代の複製のみが実行され、複製されたデータはそれ以上の複製が許可されなくなり、著作権者の意図に従った著作権の保護が可能となる。
【００３７】
なお、本発明の実施の形態において、埋込データは、いわゆる「Ｄｉｇｉｔａｌ　Ｗａｔｅｒ　Ｍａｒｋ（電子透かし）」技術によってデジタル音楽データに埋め込まれるものであり、一般消費者による記録・改変が不可能なように記録されたものである。電子透かし技術は、従来、Ｉｎｆｏｒｍａｔｉｏｎ　ｈｉｄｉｎｇやＳｔｅｇａｎｏｇｒａｐｈｙ　（情報隠蔽技術）と呼ばれていた技術であり、画像や音声等を表すデジタルデータの中に特定の情報を埋め込むための技術である。電子透かし技術により埋め込まれた情報は、上記画像や音声を閲覧・再生する通常の手段では発見が困難な状態となり、情報を埋め込んでも、もとのデジタルデータが示す画像や音声には、視覚や聴覚で感じられる程度の変化が現れない。このため、一般消費者による記録・改変は非常に困難である。
ここで、デジタル音楽データに対する電子透かし技術の一例について説明する。
【００３８】
一般に、音楽ＣＤに記録されるデジタル音楽データは、音声のアナログ原信号を標本化周波数４４．１ｋＨｚ　でサンプリングして得られた信号であり、ステレオ音声のＬ・Ｒチャンネルは、それぞれ１６ビットの量子化信号で構成される。すなわち、一般的なデジタル音楽データは、１秒当たり４４，１００個のサンプルが時間軸に沿って並ぶサンプルストリームとして表され、ステレオ音声の場合は、それぞれＬ・Ｒチャンネルに対応する２本のサンプルストリームで表される。
【００３９】
電子透かし技術によって情報を埋め込む場合、情報を埋め込む対象のデジタル音楽データのサンプルストリームは、時間軸に沿って一定区間毎に分割される。ここで、分割された各区間をタイムスライスと称する。各タイムスライスは互いに重なり合うことなく隣り合っており、各タイムスライスには、例えば１２８ビットのサンプルが含まれる。
【００４０】
デジタル音楽データのサンプルストリームに情報を埋め込む手法としては、時間軸領域で情報を埋め込む方法と、サンプルストリームを周波数領域に変換した上で情報を埋め込む方法が挙げられる。サンプルストリームを周波数領域に変換した上で情報を埋め込む場合、情報を埋め込んだ後で、時間軸領域への逆変換を行って、もとのサンプルストリームと同じ形態のデータにする必要がある。この逆変換によって、埋め込まれた情報は時間軸領域に分散され、検出することが非常に困難になるので、結果的に解読に対する防御性が高められる。
【００４１】
サンプルストリームを周波数領域に変換するためには、ＦＦＴ（Ｆａｓｔ　ＦｏｕｒｉｅｒＴｒａｎｓｆｏｒｍ：高速フーリエ変換）が用いられる。例えば、上記のタイムスライスに対してＦＦＴを実行すると、１２８のサンプルを含むタイムスライスが周波数領域に変換され、０Ｈｚ〜２２ｋＨｚにおける１２８の周波数帯のエネルギー量を示すスペクトルが得られる。なお、変換後の周波数帯の上限周波数は、Ｎｙｑｕｉｓｔ　周波数、またはサンプリングレートの１／２として決定される。
【００４２】
そして、ＦＦＴにより得られる各周波数帯のスペクトルを人工的に加工することにより、情報を埋め込むことができる。ただし、スペクトルの加工によって、デジタル音楽データの音質に影響が及ばないことが望ましいため、全ての情報を一カ所に埋め込むのではなく、情報を分散して埋め込む必要がある。
【００４３】
情報を分散して埋め込むために、スペクトラム拡散を利用する方法が知られている。この方法では、情報をスペクトラム拡散によって全周波数帯域に拡散し、スペクトルに重畳する。しかしながら、スペクトラム拡散では情報の挿入に関するパラメータが固定されるので、全周波数帯にわたって情報が拡散されていることが明らかになってしまう。
【００４４】
このため、電子透かし情報が容易に検出され、電子透かし情報の不正な加工や除去が行われるおそれがある。また、スペクトルの状態とは無関係に全周波数帯に情報を分散するため、全周波数帯にホワイトノイズが加えられたのと同様の影響があり、もとのデジタル音楽データに聴覚で感じられるほどの影響を与えてしまうおそれがある。
【００４５】
そこで、最近では、人間の聴覚特性として知られているマスキング効果を利用して情報を埋め込む手法が提案されている。
具体的には、周波数領域のスペクトルの波形に基づき、もとのデジタル音楽データにおいてマスキング効果が期待されるマスキング領域を検出する。このマスキング領域に情報を付加した場合、マスキング効果によって、情報の付加による影響を聴覚で感じることは非常に困難になる。そこで、マスキング領域に対して情報を分散して付加すれば、もとのデジタル音楽データの音質に影響を及ぼすおそれがない。なお、この方法では電子透かし情報が付加された箇所がスペクトルの形状によって異なるため、その位置等を表す情報が、予め定められた形式のキーとしてデジタル音楽データに埋め込まれる。
【００４６】
マスキング効果を利用して電子透かし情報を埋め込んだ場合、キャリア信号、すなわち音声を表す信号に対して−１５ｄＢ（デシベル）程度の、知覚できないレベルで情報を埋め込むことができる。このため、電子透かし情報が容易に発見されるおそれもなく、また、情報を埋め込むことでもとのデジタル音楽データの音質を劣化させるおそれも無い。
【００４７】
そして、情報が埋め込まれた周波数領域のスペクトルは逆変換によって時間軸領域に変換され、もとのサンプルストリームと同じ形態のデジタル音楽データに復元される。デジタル音楽データに埋め込まれた電子透かし情報は、予め定められた形式の正当なキーに関する情報を保持する機器によってのみ、該キーをもとに検出し、書き換えることが可能である。一方、正当なキーに関する情報を保持していない機器によって電子透かし情報を検出し、電子透かし情報の書き換えや除去を行うことは非常に困難である。
このため、デジタル音楽データに埋め込まれた電子透かし情報は、正当なユーザによってのみ処理可能であり、意図しない第三者によって除去あるいは改変されるおそれがない。
【００４８】
図１の配信システム１における配信装置１１は、正規に配信可能なデジタル音楽データについて、第１ビットが「１」の埋込データを埋め込んだ上で、ネットワークＮを介してデータ再生装置１２やデータ記録装置１５へ配信するものである。なお、配信装置１１により埋め込まれる埋込データの第２，第３ビットについては、配信されるデジタル音楽データの著作権者により予め指定された内容に準じたものとなる。例えば、配信されるデジタル音楽データについて一世代に限って複製が許諾されている場合、配信装置１１は、該デジタル音楽データに第２，第３ビットが「１０」の埋込データを埋め込んで、ネットワークＮへ配信する。
【００４９】
図２は、データ受信・再生装置１３の機能的構成を示すブロック図である。
図２に示すように、データ受信・再生装置１３は、デジタル音楽データが入力されるインターフェースとしてネットワーク接続端子１３１を備えている。
【００５０】
ネットワーク接続端子１３１は、ネットワークＮとの間でデジタルデータを送受信するためのインターフェースである。ネットワーク接続端子１３１を介しては、扱う種類を問わず一般的なデジタルデータ全般を送受信することが可能である。
【００５１】
ネットワーク接続端子１３１には通信制御部１３２が接続されており、通信制御部１３２によって、ネットワーク接続端子１３１を介したデジタルデータの送受信が制御される。すなわち、通信制御部１３２は、ネットワークＮを介して接続される配信装置１１等の各装置や、ネットワークＮとデータ受信・再生装置１３との間に存在するサーバ（図示略）等との間で、所定の通信プロトコルに従った制御信号を、ネットワーク接続端子１３１を介して送受信することによって、通信回線を確立し、デジタルデータの送受信が可能な状態に移行する。
【００５２】
また、通信制御部１３２は、ネットワーク接続端子１３１を介して入力されるデジタルデータを解析し、受信したデジタルデータを、後述する相互認証部１３３もしくは受信データデコーダ１３８へ出力する。
【００５３】
例えば、通信制御部１３２は、ネットワークＮとデータ受信・再生装置１３との間に存在するＩＳＰのサーバ（図示略）あるいは配信装置１１から、音楽データや映像データ等のデジタルコンテンツの著作権を保護するために策定された認証処理に係るデータが送信された場合には、該データを受信して相互認証部１３３へ出力する。
【００５４】
そして、通信制御部１３２は、上記ＩＳＰのサーバあるいは配信装置１１と相互認証部１３３との間におけるデータの送受信を実行させ、認証処理を行わせる。この認証処理によって、上記ＩＳＰのサーバあるいは配信装置１１によりデータ受信・再生装置１３が認証を受けると、ネットワーク接続端子１３１を介して暗号化されたデジタル音楽データが送信されるので、通信制御部１３２は、該デジタル音楽データを受信して相互認証部１３３へ出力する。
【００５５】
なお、上記認証処理に準じたデジタル音楽データとは、著作権を保護するためのＤＲＭ（Ｄｉｇｉｔａｌ　Ｒｉｇｈｔｓ　Ｍａｎａｇｅｍｅｎｔ　）情報を含むものである。ＤＲＭ情報は、著作権者らの意向に基づいて定められた再生や記録に関する制限内容を示す情報であり、例えば、再生の許諾／不許諾、複製の許諾／不許諾といった制限を示すものであり、一世代に限った複製のみを許諾することもできる。
【００５６】
そして、デジタル音楽データの再生や記録はＤＲＭ情報により許諾された範囲内で行われる。そして、認証処理に準じたデジタル音楽データを受信し、再生や記録を行う装置は、予め上記認証処理を策定する機関により承認され、デジタル音楽データからＤＲＭ情報を抽出するための処理が可能となっている機器でなければならず、これらの機器はＤＲＭ情報が示す制限を遵守して再生や記録を行うようになっている。
【００５７】
上記認証処理に準じたデジタル音楽データは予め定められた形式に則って暗号化されて送受信される。従って、認証処理に準じたデジタル音楽データを受信して利用するためには、予め上記認証処理を策定する機関により承認され、暗号を解読するキー等を内蔵している機器を用いる必要がある。
【００５８】
また、通信制御部１３２は、上記の認証処理に係るデータ以外のデータがネットワーク接続端子１３１を介して入力された場合には、該デジタルデータを受信データデコーダ１３８へ出力する。
【００５９】
相互認証部１３３は、通信制御部１３２およびネットワーク接続端子１３１を介して接続された上記ＩＳＰのサーバ（図示略）あるいは配信装置１１との間で、著作権保護のために策定された認証処理を行う回路であり、認証処理を経た後にネットワーク接続端子１３１から入力されるデジタル音楽データを暗号解読部１３４へ出力する。
【００６０】
暗号解読部１３４は、暗号化されたデジタル音楽データが相互認証部１３３から入力されると、該デジタル音楽データを復号して、後述するＤ／Ａコンバータ１４２へ出力する。
また、暗号解読部１３４は、相互認証部１３３から入力されたデジタル音楽データを解読する際に、該デジタル音楽データに含まれるＤＲＭ情報を抽出して、ＤＲＭ処理部１３５へ出力する。
【００６１】
ＤＲＭ処理部１３５は、暗号解読部１３４から入力されたＤＲＭ情報の内容を識別する処理を行い、ＤＲＭ情報に異常がなく、かつ、デジタル音楽データの再生が許可されている場合は、デジタル音楽データの出力を許可する指示を出力回路１３６へ出力する。
【００６２】
そして、出力回路１３６は、ＤＲＭ処理部１３５から、デジタル音楽データの出力を許可する指示が入力された場合にのみ、暗号解読部１３４から入力されたデジタル音楽データを受信データデコーダ１３７へ出力する。
【００６３】
受信データデコーダ１３７は、出力回路１３６から入力されたデジタル音楽データをデコードして、Ｄ／Ａコンバータ１４２へ出力する。一般に、デジタル音楽データは、非圧縮形式ではデータ容量が非常に大きく、ネットワークＮを介した配信に適していない。
【００６４】
このため、ネットワークＮを介してデジタル音楽データを配信する際には、ＷＡＶ形式等の非圧縮形式からＭＰ３（Ｍｏｖｉｎｇ　Ｐｉｃｔｕｒｅ　Ｅｘｐｅｒｔ　Ｇｒｏｕｐ　Ｐｈａｓｅ２　−　Ａｕｄｉｏ　Ｌａｙｅｒ　ＩＩＩ）形式等のデータ形式へ圧縮処理が行われる。そこで、受信データデコーダ１３８は、通信制御部１３２によって受信されたデジタル音楽データをデコードすることによって、圧縮された形式から再生が容易な非圧縮形式への変換を行う。受信データデコーダ１３７によってデコードされたデジタル音楽データは、Ｄ／Ａコンバータ１４２へ出力される。
【００６５】
また、受信データデコーダ１３８は、通信制御部１３２から入力されるデータをデコードする。例えば、受信データデコーダ１３８は、ＭＰ３等の形式で圧縮されたデジタル音楽データを、再生が容易な非圧縮形式に変換して埋込データデコーダ１３９へ出力する。
【００６６】
埋込データデコーダ１３９は、受信データデコーダ１３８から入力されるデジタル音楽データを出力回路１４１へ出力するとともに、該デジタル音楽データに埋め込まれた埋込データを検出してデコードし、埋込データ判定部１４０へ出力する。
【００６７】
埋込データ判定部１４０は、埋込データデコーダ１３９から入力された埋込データの判定を行い、埋込データの第１ビットが、「１」か「０」かを判定する。上記表２に示すように、埋込データの第１ビットはデジタル音楽データの配信が許諾されているか否かを示すものであり、「０」は配信が許諾されていないことを示し、「１」はＥＭＤ等による配信が許諾されていることを示す。
【００６８】
そして、埋込データ判定部１４０は、埋込データデコーダ１３９から入力された埋込データの第１ビットが「０」であった場合、該デジタル音楽データはネットワークＮを介した配信が許諾されたものでないと判断し、出力回路１４１に対して、デジタル音楽データの出力を停止する旨の指示を出力する。
【００６９】
また、埋込データ判定部１４０は、埋込データデコーダ１３９から入力された埋込データの第１ビットが「１」であった場合、該デジタル音楽データは配信が許諾されたデータであると判断し、出力回路１４１に対してデジタル音楽データを出力する旨の指示を出力する。
【００７０】
出力回路１４１は、埋込データ判定部１４０からデジタル音楽データを再生する旨の指示が入力された場合にのみ、埋込データデコーダ１３９から入力されたデジタル音楽データをＤ／Ａコンバータ１４２へ出力する。
【００７１】
Ｄ／Ａコンバータ１４２は、暗号解読部１３４および出力回路１４１から入力されるデジタル音楽データについてＤ／Ａ（Ｄｉｇｉｔａｌ　ｔｏ　Ａｎａｌｏｇ）変換を実行してアナログ音声信号を生成し、アナログ出力端子１４３から出力する。
アナログ出力端子１４３は、ピンジャックやミニジャック等、データ受信・再生装置１３の外部の機器に対してアナログ音声信号を出力するための端子である。
【００７２】
このように、配信装置１１は、配信用のデータであることを示す埋込データを埋め込んだデジタル音楽データをネットワークＮを介して配信する。データ受信・再生装置１３は、ネットワークＮを介して受信したデジタル音楽データに埋め込まれた埋込データを判定することによって、ＥＭＤ等による配信が正規に許諾されたデジタル音楽データか否かを判定する。そして、配信が許諾されたデジタル音楽データを受信した場合は、その再生を行ってアナログ音声信号を出力する一方、ネットワークＮを介して受信したデジタル音楽データが、配信が許諾されていないデータであった場合は、再生出力を行わない。
【００７３】
これにより、パッケージメディアからのコピー等により作成され、ネットワークを介した配信が正規に許諾されていないデータが、ネットワークＮを介して送信された場合は、その再生を行わないので、著作権を無視した不正なデータが際限なく利用されることがない。
【００７４】
また、データ受信・再生装置１３は、相互認証部１３３によって認証処理を経て入力されたデジタル音楽データについては、ＤＲＭ処理部１３５でＤＲＭ情報の内容を解析することで、該デジタル音楽データに付加されたＤＲＭ情報に基づく再生処理を行う。このため、著作権の保護に対応するデジタル音楽データについては問題なく再生することができる。
【００７５】
図３は、データ受信・記録装置１５の機能的構成を示すブロック図である。
図３に示すように、データ受信・記録装置１５は、デジタル音楽データが入力されるインターフェースとしてネットワーク接続端子１５１を備えている。
【００７６】
ネットワーク接続端子１５１は、ネットワークＮとの間でデジタルデータを送受信するためのインターフェースである。ネットワーク接続端子１５１を介しては、扱う種類を問わず一般的なデジタルデータ全般を送受信することが可能である。
【００７７】
ネットワーク接続端子１５１には通信制御部１５２が接続されており、通信制御部１５２によって、ネットワーク接続端子１５１を介したデジタルデータの送受信が制御される。すなわち、通信制御部１５２は、ネットワークＮを介して接続される配信装置１１等の各装置や、ネットワークＮとデータ受信・記録装置１５との間に存在するサーバ（図示略）等との間で、所定の通信プロトコルに従った制御信号を、ネットワーク接続端子１５１を介して送受信することによって通信回線を確立し、デジタルデータの送受信が可能な状態に移行する。
【００７８】
また、通信制御部１５２は、ネットワーク接続端子１５１を介して入力されるデジタルデータを解析し、受信したデジタルデータを、後述する相互認証部１５３もしくは受信データデコーダ１６１へ出力する。例えば、通信制御部１５２は、ネットワークＮとデータ受信・記録装置１５との間に存在するＩＳＰのサーバ（図示略）あるいは配信装置１１から、音楽データや映像データ等のデジタルコンテンツの著作権を保護するために策定された認証処理に係るデータが送信された場合には、該データを受信して相互認証部１５３へ出力する。
【００７９】
そして、通信制御部１５２は、上記ＩＳＰのサーバあるいは配信装置１１と相互認証部１５３との間におけるデータの送受信を実行させ、認証処理を行わせる。この認証処理によって、上記ＩＳＰのサーバあるいは配信装置１１によりデータ受信・記録装置１５が認証を受けると、ネットワーク接続端子１５１を介して暗号化されたデジタル音楽データが送信されるので、通信制御部１５２は、該デジタル音楽データを受信して相互認証部１５３へ出力する。
【００８０】
また、通信制御部１５２は、上記の認証処理に係るデータ以外のデータがネットワーク接続端子１５１を介して入力された場合には、該デジタルデータを受信データデコーダ１６１へ出力する。
【００８１】
相互認証部１５３は、上記の相互認証部１３３（図２）と同様に、通信制御部１５２およびネットワーク接続端子１５１を介して接続された上記ＩＳＰのサーバあるいは配信装置１１との間で、著作権保護のために策定された認証処理を行う回路であり、認証処理を経た後にネットワーク接続端子１５１から入力されるデジタル音楽データを暗号解読部１５４へ出力する。
【００８２】
暗号解読部１５４は、上記の暗号解読部１３４（図２）と同様に、暗号化されたデジタル音楽データが相互認証部１５３から入力されると、該デジタル音楽データを復号して出力回路１５６へ出力する。
また、暗号解読部１５４は、相互認証部１５３から入力されたデジタル音楽データを解読する際に、該デジタル音楽データに含まれるＤＲＭ情報を抽出して、ＤＲＭ処理部１５５へ出力する。
【００８３】
ＤＲＭ処理部１５５は、上記のＤＲＭ処理部１３５（図２）と同様に、暗号解読部１５４から入力されたＤＲＭ情報の内容を識別する処理を行い、ＤＲＭ情報に異常がなく、かつ、デジタル音楽データの記録が許可されている場合は、デジタル音楽データの出力を許可する指示を出力回路１５６へ出力するとともに、デジタル音楽データの記録を許可する指示を埋込データ書換部１５９へ出力する。
【００８４】
そして、出力回路１５６は、ＤＲＭ処理部１５５からデジタル音楽データの出力を許可する指示が入力された場合にのみ、暗号解読部１５４から入力されたデジタル音楽データを受信データデコーダ１５７へ出力する。
【００８５】
受信データデコーダ１５７は、出力回路１５６から入力されたデジタル音楽データをデコードして出力回路１５８へ出力する。例えば、受信データデコーダ１５７は、ＭＰ３等の形式で圧縮されたデジタル音楽データを非圧縮形式に変換して、出力回路１５８へ出力する。
【００８６】
一方、受信データデコーダ１６１は、通信制御部１５２から入力されるデータをデコードして、埋込データデコーダ１６２へ出力する。
【００８７】
埋込データデコーダ１６２は、受信データデコーダ１６１から入力されるデジタル音楽データを出力回路１６４へ出力するとともに、該デジタル音楽データに埋め込まれた埋込データを検出してデコードし、埋込データ判定部１６３へ出力する。
【００８８】
埋込データ判定部１６３は、埋込データデコーダ１６２から入力された埋込データの判定を行う。まず、埋込データ判定部１６３は、埋込データの第１ビットが、「１」か「０」かを判定する。上記表２に示すように、埋込データの第１ビットはデジタル音楽データの配信が許諾されているか否かを示すものであり、「０」は配信が許諾されていないことを示し、「１」はＥＭＤ等による配信が許諾されていることを示す。
【００８９】
そして、埋込データ判定部１６３は、埋込データデコーダ１６２から入力された埋込データの第１ビットが「０」であった場合、該デジタル音楽データはネットワークＮを介した配信が許諾されたものでないと判断し、出力回路１６４に対して、デジタル音楽データの出力を停止する旨の指示を出力する。
【００９０】
また、埋込データ判定部１６３は、埋込データデコーダ１６２から入力された埋込データの第１ビットが「１」であった場合、該デジタル音楽データは配信が許諾されたデータであると判断する。ここで、埋込データ判定部１６３は、埋込データの第２，第３ビットの判定を行う。上記表２に示すように、埋込データの第２，第３ビットはデジタル音楽データの複製に関する制限を示し、「００」は複製に制限がないことを示し、「１０」は一世代に限って複製が許諾されていることを示し、「１１」は複製が許諾されていないことを示す。
【００９１】
そして、埋込データ判定部１６３は、埋込データデコーダ１６２から入力された埋込データの第２，第３ビットが「１１」であった場合は、出力回路１６４に対してデジタル音楽データの出力を停止する旨の指示を出力するとともに、埋込データ書換部１５９に対して、デジタル音楽データの記録を行わない旨の指示を出力する。
【００９２】
また、埋込データ判定部１６３は、埋込データデコーダ１６２から入力された埋込データの第２，第３ビットが「１０」であった場合、該デジタル音楽データは一世代に限って複製が許諾されたデータであるから、出力回路１６４に対してデジタル音楽データを出力する旨の指示を出力するとともに、埋込データ書換部１５９に対して、埋込データの第２，第３ビットを「Ｎｏ　Ｍｏｒｅ　Ｃｏｐｙ」を示す「１１」に書き換える旨の指示と、デジタル音楽データを記録する旨の指示とを出力する。
【００９３】
さらに、埋込データ判定部１６３は、埋込データデコーダ１６２から入力された埋込データの第２，第３ビットが「００」であった場合、該デジタル音楽データは複製が制限されないデータであるから、出力回路１６４に対してデジタル音楽データを出力する旨の指示を出力するとともに、埋込データ書換部１５９に対して、デジタル音楽データを記録する旨の指示を出力する。
【００９４】
そして、出力回路１６４は、埋込データ判定部１６３からデジタル音楽データを出力する旨の指示が入力された場合にのみ、埋込データデコーダ１６２から入力されるデジタル音楽データを出力回路１５８へ出力する。
【００９５】
出力回路１５８は、受信データデコーダ１５７および出力回路１６４から入力されるデジタル音楽データを埋込データ書換部１５９へ出力する。
【００９６】
そして、埋込データ書換部１５９は、ＤＲＭ処理部１５５または埋込データ判定部１６３から、デジタル音楽データを記録する旨の指示が入力された場合にのみ、出力回路１５８から入力されたデジタル音楽データを記録部１６０へ出力する。
【００９７】
また、埋込データ書換部１５９は、埋込データ判定部１６３から、埋込データの第２，第３ビットを「１１」に書き換える旨の指示が入力された場合には、出力回路１５８から入力されたデジタル音楽データについて、埋込データを「１１」に書き換える処理を行った上で、該デジタル音楽データを記録部１６０へ出力する。
【００９８】
なお、埋込データ書換部１５９によって埋込データを書き換える方法としては二通りの方法を採用することが可能である。一つは、既にデジタル音楽データに埋め込まれている埋込データを除去した上で、新たな埋込データをデジタル音楽データに埋め込む方法である。また、もう一つは、既にデジタル音楽データに埋め込まれている埋込データを除去せずに、既にデジタル音楽データに埋め込まれている埋込データが無効であることを示すデータと、新たな埋込データとを追記する方法である。
【００９９】
前者の方法は、埋込データの書き換えによってデータ量が増加することがなく、効率が良いという利点がある。しかしながら、埋込データは検出や除去が困難な方法で埋め込まれており、確実に除去するためには比較的複雑な演算処理を要する。一方、埋込データを埋め込むための処理は、比較的単純な演算処理を行うことで実現できる。従って、後者の方法を採用した場合は、デジタル音楽データに分散して埋め込まれた埋込データを除去する処理が無い分だけハードウェア負担が軽い処理で済み、高速な処理が期待できるという利点が生じる。
【０１００】
従って、本発明の実施の形態としての配信システム１において、埋込データ書換部１５９によって埋込データを書き換えるための具体的な方法としては、既にデジタル音楽データに埋め込まれている埋込データを除去した上で、新たな埋込データをデジタル音楽データに埋め込む方法と、既にデジタル音楽データに埋め込まれている埋込データを除去せずに、既にデジタル音楽データに埋め込まれている埋込データが無効であることを示すデータと、新たな埋込データとを追記する方法とのいずれを採用しても良い。すなわち、本発明を実現する際のハードウェアの仕様や詳細なアルゴリズムに応じて、より好適な方法を採用すれば良く、いずれかの方法に限定されるものではない。
以下、本発明の実施の形態における埋込データ書換部１７６（図４）、埋込データ書換部２０９（図７）についても同様である。
【０１０１】
記録部１６０は、ＣＤ−Ｒ（Ｃｏｍｐａｃｔ　Ｄｉｓｃ−Ｒｅｃｏｒｄａｂｌｅ　）、ＣＤ−ＲＷ（Ｃｏｍｐａｃｔ　Ｄｉｓｃ−ＲｅＷｒｉｔａｂｌｅ　）、ＤＶＤ−Ｒ（Ｄｉｇｉｔａｌ　Ｖｅｒｓａｔｉｌｅ　Ｄｉｓｋ−Ｒｅｃｏｒｄａｂｌｅ）、ＤＶＤ−ＲＡＭ（Ｄｉｇｉｔａｌ　Ｖｅｒｓａｔｉｌｅ　Ｄｉｓｋ−　Ｒａｎｄｏｍ　Ａｃｃｅｓｓ　Ｍｅｍｏｒｙ）等の光ディスク型記録媒体、スマートメディア、コンパクトフラッシュ（登録商標）、ＳＤメモリカード、マルチメディアカード、メモリースティック等の半導体メモリデバイスを利用した記録媒体、ハードディスク装置等の磁気記録媒体、あるいはこれらの記録媒体を内蔵する機器など、記録可能な媒体や機器にデジタルデータを記録する装置であり、埋込データ書換部１５９から入力されたデジタル音楽データを、上記媒体や機器に記録する。
【０１０２】
なお、記録部１６０は、上記の媒体や機器のように可搬性を有し、データ受信・記録装置１５から取り外して利用可能な媒体や機器にデジタル音楽データを記録するもののほか、データ受信・記録装置１５に内蔵される記録媒体にデジタル音楽データを記録するものとしても良い。
【０１０３】
すなわち、データ受信・記録装置１５が、デジタル音楽データの記録のみならず、一時的にデジタル音楽データを記憶した上で該デジタル音楽データの再生やネットワークＮを介した配信等を行うことが可能な機器である場合、データ受信・記録装置１５は、デジタル音楽データを一時的に記憶するための光学的記録媒体、磁気記録媒体、もしくは半導体メモリデバイスを利用した記録媒体を内蔵する。この場合、データ受信・記録装置１５が内蔵する記録媒体に対するデジタル音楽データの記録を、ＤＲＭ処理部１５５および埋込データ判定部１６３の制御に従って、記録部１６０によって実行させることも可能である。
【０１０４】
従って、データ受信・記録装置１５が、デジタル音楽データを記録可能な記録媒体を内蔵する場合においては、該記録媒体に対して、ネットワーク接続端子１５１から入力されたデジタル音楽データを無条件に記録するものとしても良く、ＤＲＭ情報もしくは埋込データにより指定された制限に準じてデジタル音楽データを記録するものとしても良い。
【０１０５】
このように、配信装置１１によってネットワークＮを介して配信されるデジタル音楽データに対し、複製に関する制限を示す埋込データを埋め込んでおくことで、デジタル音楽データを記録するデータ受信・記録装置１５は、ネットワークＮを介して受信したデジタル音楽データに埋め込まれた埋込データを判定し、埋込データにより複製が許諾されている場合に限り、デジタル音楽データを記録する。
【０１０６】
これにより、ネットワークＮを介して配信されたデジタル音楽データの記録、すなわち複製を埋込データによってコントロールすることができ、著作権の保護に準じたデジタル音楽データの複製を制限することなく、著作権を無視した複製のみを確実に防止できる。
【０１０７】
特に、データ受信・記録装置１５においては、埋込データによって一世代に限り複製が許諾されているデジタル音楽データについては、該デジタル音楽データが記録される際に、埋込データ書換部１５９によって埋込データが書き換えられる。このため、「Ｏｎｅ　Ｇｅｎｅｒａｔｉｏｎ　Ｃｏｐｙ　Ｐｅｒｍｉｔｔｅｄ」を示す埋込データが埋め込まれたデジタル音楽データは、記録部１６０により記録された時点で、埋込データが「Ｎｏ　Ｍｏｒｅ　Ｃｏｐｙ」に書き換えられるので、一世代の複製が行われたデジタル音楽データについては、その後の複製が禁じられる。
【０１０８】
さらに、記録部１６０により記録されたデジタル音楽データが、データ受信・記録装置１５もしくは他の機器によってネットワークＮを介して配信されることがあっても、一世代に限って複製が許諾されたデジタル音楽データについては、埋込データの第２，第３ビットが「Ｎｏ　Ｍｏｒｅ　Ｃｏｐｙ」を示す「１１１」に書き換えられているので、さらに複製されることがない。このため、複製が制限されたデジタル音楽データが制限に反して繰り返し複製されるのを防止できる。
【０１０９】
また、データ受信・記録装置１５は、ネットワークＮを介して受信したデジタル音楽データが、配信が許諾されていないデータであった場合は、再生出力を行わない。これにより、パッケージメディアからのコピー等により作成され、ネットワークを介した配信が正規に許諾されていないデータが、ネットワークＮを介して送信された場合は、その記録を行わないので、著作権を無視した不正なデータが際限なく利用されることがない。
【０１１０】
従って、埋込データで指示される複製の制限が無視されることなく確実に遵守され、著作権の保護に準じたデジタル音楽データの複製を制限することなく、著作権を無視した複製のみを確実に防止できる。
【０１１１】
また、データ受信・記録装置１５は、相互認証部１５３によって認証処理を経て入力されたデジタル音楽データについては、ＤＲＭ処理部１５５でＤＲＭ情報の内容を解析することで、該デジタル音楽データに付加されたＤＲＭ情報に基づく再生処理を行う。このため、著作権の保護に対応するデジタル音楽データについては問題なく記録することができる。
【０１１２】
図４は、データ読取・記録装置１７の機能的構成を示すブロック図である。
図４に示すように、データ読取・記録装置１７は、デジタル音楽データが記録された記録媒体からデータを読み取るメディアドライブ１７１を備えている。
【０１１３】
メディアドライブ１７１は、ＣＤ−ＲＯＭ、ＤＶＤ−ＲＯＭ等のパッケージ販売される読み取り専用の記録媒体や、ＣＤ−Ｒ、ＣＤ−ＲＷ、ＤＶＤ−Ｒ、ＤＶＤ−ＲＡＭ等の光ディスク型記録媒体、スマートメディア、コンパクトフラッシュ（登録商標）、ＳＤメモリカード、マルチメディアカード、メモリースティック等の半導体メモリデバイスを利用した記録媒体、ハードディスク装置等の磁気記録媒体のような追記可能な記録媒体から、デジタル音楽データを読み取る装置である。なお、メディアドライブ１７１は、データ読取・記録装置１７の外部の機器を接続するためのインターフェースを備え、このインターフェースを介して接続された機器に内蔵される上記記録媒体からデジタル音楽データを読み取るものとしても良い。
【０１１４】
メディアドライブ１７１は、上記の記録媒体からデジタル音楽データを読み出して、デジタルデータ入力部１７２に出力する。
デジタルデータ入力部１７２は、メディアドライブ１７１から入力されるデジタル音楽データを、埋込データデコーダ１７３へ出力する。なお、メディアドライブ１７１から入力されたデジタル音楽データがＭＰ３等の形式により圧縮されている場合には、デジタルデータ入力部１７２は、非圧縮方式への変換等の処理を行った上でデジタル音楽データを埋込データデコーダ１７３へ出力することも可能である。
【０１１５】
埋込データデコーダ１７３は、デジタルデータ入力部１７２から入力されるデジタル音楽データを出力回路１７５へ出力するとともに、該デジタル音楽データに埋め込まれた埋込データを検出してデコードし、埋込データ判定部１７４へ出力する。
【０１１６】
埋込データ判定部１７４は、埋込データデコーダ１７３から入力された埋込データの判定を行い、埋込データの第２，第３ビットの判定を行う。上記表２に示すように、埋込データの第２，第３ビットはデジタル音楽データの複製に関する制限を示し、「００」は複製に制限がないことを示し、「１０」は一世代に限って複製が許諾されていることを示し、「１１」は複製が許諾されていないことを示す。
【０１１７】
そして、埋込データ判定部１７４は、埋込データデコーダ１７３から入力された埋込データの第２，第３ビットが「１１」であった場合は、出力回路１７５に対してデジタル音楽データの出力を停止する旨の指示を出力するとともに、埋込データ書換部１７６に対して、デジタル音楽データの記録を行わない旨の指示を出力する。
【０１１８】
また、埋込データデコーダ１７３から入力された埋込データの第２，第３ビットが「００」であった場合、該デジタル音楽データは複製が制限されないデータである。しかしながら、メディアドライブ１７１にパッケージ販売用の記録媒体でがセットされている場合、複製が制限されないことは想像し難い。
【０１１９】
さらに、メディアドライブ１７１にセットされた記録媒体が追記可能な記録媒体であった場合、複製が制限されていないデジタル音楽データが合法的に入手され、記録されたかものである可能性は非常に低い。このため、埋込データ判定部１７４は、埋込データの第２，第３ビットが「００」であった場合、出力回路１７５に対してデジタル音楽データの出力を停止する旨の指示を出力するとともに、埋込データ書換部１７６に対して、デジタル音楽データの記録を行わない旨の指示を出力する。
【０１２０】
さらに、埋込データ判定部１７４は、埋込データデコーダ１７３から入力された埋込データの第２，第３ビットが「１０」であった場合、該デジタル音楽データは一世代に限って複製が許諾されたデータであるから、出力回路１７５に対してデジタル音楽データを出力する旨の指示を出力するとともに、埋込データ書換部１７６に対して、埋込データの第２，第３ビットを「１１」に書き換える旨の指示と、デジタル音楽データを記録する旨の指示とを出力する。
【０１２１】
そして、出力回路１７５は、埋込データ判定部１７４からデジタル音楽データを出力する旨の指示が入力された場合にのみ、埋込データデコーダ１７３から入力されるデジタル音楽データを埋込データ書換部１７６へ出力する。
【０１２２】
埋込データ書換部１７６は、埋込データ判定部１７４から、デジタル音楽データを記録する旨の指示が入力された場合にのみ、出力回路１７５から入力されたデジタル音楽データを記録部１７７へ出力する。
【０１２３】
また、埋込データ書換部１７６は、埋込データ判定部１７４から、埋込データの第２，第３ビットを「１１」に書き換える旨の指示が入力された場合には、出力回路１７５から入力されたデジタル音楽データについて、埋込データを「１１」に書き換える処理を行った上で、該デジタル音楽データを記録部１７７へ出力する。
【０１２４】
記録部１７７は、ＣＤ−Ｒ、ＣＤ−ＲＷ、ＤＶＤ−Ｒ、ＤＶＤ−ＲＡＭ等の光ディスク型記録媒体、スマートメディア、コンパクトフラッシュ（登録商標）、ＳＤメモリカード、マルチメディアカード、メモリースティック等の半導体メモリデバイスを利用した記録媒体、ハードディスク装置等の磁気記録媒体、あるいはこれらの記録媒体を内蔵する機器など、記録可能な媒体や機器にデジタルデータを記録する装置であり、埋込データ書換部１７６から入力されたデジタル音楽データを、上記媒体や機器に記録する。
【０１２５】
なお、記録部１７７は、上記の媒体や機器のように可搬性を有し、データ読取・記録装置１７から取り外して利用可能な媒体や機器にデジタル音楽データを記録するものの他、データ読取・記録装置１７に内蔵される記録媒体にデジタル音楽データを記録するものとしても良い。
【０１２６】
すなわち、データ読取・記録装置１７が、デジタル音楽データの記録のみならず、一時的にデジタル音楽データを記憶した上で、該デジタル音楽データの再生やネットワークＮを介した配信等を行うことが可能な機器である場合、データ読取・記録装置１７は、デジタル音楽データを一時的に記憶するための光学的記録媒体、磁気記録媒体、もしくは半導体メモリデバイスを利用した記録媒体を内蔵する。この場合、データ読取・記録装置１７が内蔵する記録媒体に対するデジタル音楽データの記録を、埋込データ判定部１７４の制御に従って、記録部１７７によって実行させることも可能である。
【０１２７】
従って、データ読取・記録装置１７が、デジタル音楽データを記録可能な記録媒体を内蔵する場合においては、該記録媒体に対して、メディアドライブ１７１によって読み取ったデジタル音楽データを無条件に記録するものとしても良く、埋込データにより指定された制限に準じてデジタル音楽データを記録するものとしても良い。
【０１２８】
このように、データ読取・記録装置１７は、メディアドライブ１７１によって読み取ったデジタル音楽データを、埋込データにより複製が許諾されている場合に限り、記録部１７７によって記録する。
【０１２９】
これにより、デジタル音楽データの記録、すなわち複製を埋込データによってコントロールすることができ、著作権の保護に準じたデジタル音楽データの複製を制限することなく、著作権を無視した複製のみを確実に防止できる。
【０１３０】
特に、データ読取・記録装置１７においては、埋込データによって一世代に限り複製が許諾されているデジタル音楽データについては、該デジタル音楽データが記録される際に、埋込データ書換部１７６によって埋込データが書き換えられる。このため、「Ｏｎｅ　Ｇｅｎｅｒａｔｉｏｎ　Ｃｏｐｙ　Ｐｅｒｍｉｔｔｅｄ」を示す埋込データが埋め込まれたデジタル音楽データは、記録部１７７により記録された時点で、埋込データが「Ｎｏ　Ｍｏｒｅ　Ｃｏｐｙ」に書き換えられるので、一世代の複製が行われたデジタル音楽データについては、その後の複製が禁じられる。
【０１３１】
さらに、記録部１７７により記録されたデジタル音楽データが、データ読取・記録装置１７もしくは他の機器によってネットワークＮを介して配信されることがあっても、一世代に限って複製が許諾されたデジタル音楽データについては、埋込データの第２，第３ビットが「Ｎｏ　Ｍｏｒｅ　Ｃｏｐｙ」を示す「１１１」に書き換えられているので、さらに複製されることがない。このため、複製が制限されたデジタル音楽データが制限に反して繰り返し複製されるのを防止できる。
【０１３２】
従って、埋込データで指示される複製の制限が無視されることなく確実に遵守され、著作権の保護に準じたデジタル音楽データの複製を制限することなく、著作権を無視した複製のみを確実に防止できる。
【０１３３】
ここで、本実施の形態における配信システム１の動作を、フローチャートに基づいて説明する。
図５は、配信システム１における再生処理の概略を示すフローチャートである。この図５に示す再生処理は、配信システム１において、データ受信・再生装置１３により実現される。
【０１３４】
データ受信・再生装置１３は、ネットワークＮを介して配信装置１１から配信されたデジタル音楽データを受信すると（ステップＳ１１）、受信したデジタル音楽データに含まれる埋込データを解析する（ステップＳ１２）。
【０１３５】
そして、データ受信・再生装置１３は、埋込データが該デジタル音楽データの配信を許諾するものであるか否かを判別する（ステップＳ１３）。すなわち、データ受信・再生装置１３は、埋込データの第１ビットが「０」か、あるいは「１」かを判別し、埋込データの第１ビットが「０」であり、配信が許諾されていない場合には、受信したデジタル音楽データの再生を禁止する（ステップＳ１４）。
【０１３６】
一方、受信したデジタル音楽データに含まれる埋込データの第１ビットが「１」であり、配信が許諾されている場合には、データ受信・再生装置１３は受信したデジタル音楽データの再生を実行する（ステップＳ１５）。
【０１３７】
これにより、配信システム１においては、配信を許諾する埋込データを含むデジタル音楽データのみが再生されるので、配信が許諾されていないにも関わらず不正にネットワークを介して配信されたデジタル音楽データの利用を防止することができる。
【０１３８】
図６は、配信システム１における記録処理の概略を示すフローチャートである。この図６に示す記録処理は、配信システム１において、データ受信・記録装置１５により実現される。
【０１３９】
データ受信・記録装置１５は、ネットワークＮを介して配信装置１１から配信されたデジタル音楽データを受信すると（ステップＳ２１）、受信したデジタル音楽データが、ＤＲＭ情報により著作権を保護する処理を経たデータか否かを判別する（ステップＳ２２）。
【０１４０】
ここで、受信したデジタル音楽データが著作権を保護する処理を経たデータである場合、データ受信・記録装置１５は、受信したデジタル音楽データを復号する処理を行い（ステップＳ２３）、デジタル音楽データに含まれるＤＲＭ情報に従って、デジタル音楽データを記録する処理を行う（ステップＳ２４）。
【０１４１】
一方、受信したデジタル音楽データが著作権を保護する処理を経たデータでない場合には（ステップＳ２２；Ｎｏ）、配信システム１は、受信したデジタル音楽データに含まれる埋込データを解析する（ステップＳ２５）。
【０１４２】
そして、デジタル音楽データに含まれる埋込データが配信を許諾するものであるか否かを判別する（ステップＳ２６）。すなわち、データ受信・記録装置１５は、埋込データの第１ビットが「０」か、あるいは「１」かを判別し、埋込データの第１ビットが「０」であり、配信が許諾されていない場合には、受信したデジタル音楽データの記録を禁止する（ステップＳ２７）。
【０１４３】
一方、デジタル音楽データに含まれる埋込データの第１ビットが「１」であり、配信が許諾されている場合には（ステップＳ２６；Ｙｅｓ）、データ受信・記録装置１５は、埋込データの第２，第３ビットに基づいて複製に関する制限を判別する（ステップＳ２７）。
【０１４４】
埋込データの第２，第３ビットが「１１」であり、複製を許諾していない場合には、データ受信・記録装置１５はステップＳ２７へ移行して、デジタル音楽データの記録を禁止する。
【０１４５】
また、埋込データの第２，第３ビットが「１０」であり、一世代に限って複製が許諾されている場合には、データ受信・記録装置１５は、デジタル音楽データに含まれる埋込データの第２，第３ビットを「１１」に書き換えて、これ以上の複製を禁止し（ステップＳ２９）、その後、受信したデジタル音楽データの記録を行う（ステップＳ３０）。
【０１４６】
埋込データの第２，第３ビットが「００」であり、複製が制限されない場合には、データ受信・記録装置１５は、ステップＳ３０に移行して、受信したデジタル音楽データの記録を行う。
【０１４７】
これにより、配信システム１においては、ネットワークＮを介して受信したデジタル音楽データの記録、すなわち複製を埋込データによってコントロールすることができ、著作権の保護に準じたデジタル音楽データの複製を制限することなく、著作権を無視した複製のみを確実に防止できる。また、埋込データによって一世代に限り複製が許諾されているデジタル音楽データについては、該デジタル音楽データが記録される際に埋込データが書き換えられ、一世代の複製が行われたデジタル音楽データについては、その後の複製が禁じられる。
【０１４８】
また、著作権を保護する処理を経たデジタル音楽データについては、該デジタル音楽データに付加されたＤＲＭ情報に基づく処理を行う。このため、著作権の保護に対応するデジタル音楽データについては問題なく処理することができる。
【０１４９】
［第２の実施の形態］
続いて、本発明を適用した第２の実施の形態について説明する。
図７は、本第２の実施の形態におけるデータ受信・記録装置２０の機能的構成を示すブロック図である。
【０１５０】
この図７に示すデータ受信・記録装置２０は、上記第１の実施の形態におけるデータ受信・記録装置１５およびデータ読取・記録装置１７の機能を合わせて有するものであり、図１に示す配信システム１においてネットワークＮに接続され、配信装置１１から配信されるデジタル音楽データを受信して記録し、さらに、記録媒体に記録されたデジタル音楽データを読み取って記録するものである。
【０１５１】
図７に示すように、データ受信・記録装置２０は、デジタル音楽データが入力されるインターフェースとしてネットワーク接続端子２０１を備えている。
ネットワーク接続端子２０１は、ネットワークＮとの間でデジタルデータを送受信するためのインターフェースである。ネットワーク接続端子２０１を介しては、扱う種類を問わず一般的なデジタルデータ全般を送受信することが可能である。
【０１５２】
ネットワーク接続端子２０１には通信制御部２０２が接続されており、通信制御部２０２によって、ネットワーク接続端子２０１を介したデジタルデータの送受信が制御される。すなわち、通信制御部２０２は、ネットワークＮを介して接続される配信装置１１等の各装置や、ネットワークＮとデータ受信・記録装置２０との間に存在するサーバ（図示略）等との間で、所定の通信プロトコルに従った制御信号を、ネットワーク接続端子２０１を介して送受信することによって通信回線を確立し、デジタルデータの送受信が可能な状態に移行する。
【０１５３】
また、通信制御部２０２は、ネットワーク接続端子２０１を介して入力されるデジタルデータを解析し、受信したデジタルデータを、後述する相互認証部２０３もしくは受信データデコーダ２１１へ出力する。例えば、通信制御部２０２は、ネットワークＮとデータ受信・記録装置２０との間に存在するＩＳＰのサーバ（図示略）あるいは配信装置１１から、音楽データや映像データ等のデジタルコンテンツの著作権を保護するために策定された認証処理に係るデータが送信された場合には、該データを受信して相互認証部２０３へ出力する。
【０１５４】
そして、通信制御部２０２は、上記ＩＳＰのサーバあるいは配信装置１１と相互認証部２０３との間におけるデータの送受信を実行させ、認証処理を行わせる。この認証処理によって、上記ＩＳＰのサーバあるいは配信装置１１によりデータ受信・記録装置２０が認証を受けると、ネットワーク接続端子２０１を介して暗号化されたデジタル音楽データが送信されるので、通信制御部２０２は、該デジタル音楽データを受信して相互認証部２０３へ出力する。
【０１５５】
また、通信制御部２０２は、上記の認証処理に係るデータ以外のデータがネットワーク接続端子２０１を介して入力された場合には、該デジタルデータを受信データデコーダ２１１へ出力する。
【０１５６】
相互認証部２０３は、上記第１の実施の形態における相互認証部１３３（図２）と同様に、通信制御部２０２およびネットワーク接続端子２０１を介して接続された上記ＩＳＰのサーバあるいは配信装置１１との間で、著作権保護のために策定された認証処理を行う回路であり、認証処理を経た後にネットワーク接続端子２０１から入力されるデジタル音楽データを暗号解読部２０４へ出力する。
【０１５７】
暗号解読部２０４は、上記第１の実施の形態における暗号解読部１３４（図２）と同様に、暗号化されたデジタル音楽データが相互認証部２０３から入力されると、該デジタル音楽データを復号して出力回路２０６へ出力する。
また、暗号解読部２０４は、相互認証部２０３から入力されたデジタル音楽データを解読する際に、該デジタル音楽データに含まれるＤＲＭ情報を抽出して、ＤＲＭ処理部２０５へ出力する。
【０１５８】
ＤＲＭ処理部２０５は、上記第１の実施の形態におけるＤＲＭ処理部１３５（図２）と同様に、暗号解読部２０４から入力されたＤＲＭ情報の内容を識別する処理を行い、ＤＲＭ情報に異常がなく、かつ、デジタル音楽データの記録が許可されている場合は、デジタル音楽データの出力を許可する指示を出力回路２０６へ出力するとともに、デジタル音楽データの記録を許可する指示を埋込データ書換部２０９へ出力する。
【０１５９】
そして、出力回路２０６は、ＤＲＭ処理部２０５から、デジタル音楽データの出力を許可する指示が入力された場合にのみ、暗号解読部２０４から入力されたデジタル音楽データを受信データデコーダ２０７へ出力する。
【０１６０】
受信データデコーダ２０７は、出力回路２０６から入力されたデジタル音楽データをデコードして、出力回路２０８へ出力する。例えば、受信データデコーダ２０７は、ＭＰ３等の形式で圧縮されたデジタル音楽データを非圧縮形式に変換して、出力回路２０８へ出力する。
【０１６１】
一方、受信データデコーダ２１１は、通信制御部２０２から入力されるデータをデコードして、埋込データデコーダ２１２へ出力する。
【０１６２】
埋込データデコーダ２１２は、受信データデコーダ２１１から入力されるデジタル音楽データを出力回路２１４へ出力するとともに、該デジタル音楽データに埋め込まれた埋込データを検出してデコードし、埋込データ判定部２１３へ出力する。
【０１６３】
埋込データ判定部２１３は、埋込データデコーダ２１２から入力された埋込データの判定を行う。まず、埋込データ判定部２１３は、埋込データの第１ビットが、「１」か「０」かを判定する。上記表２に示すように、埋込データの第１ビットはデジタル音楽データの配信が許諾されているか否かを示すものであり、「０」は配信が許諾されていないことを示し、「１」はＥＭＤ等による配信が許諾されていることを示す。
【０１６４】
そして、埋込データ判定部２１３は、埋込データデコーダ２１２から入力された埋込データの第１ビットが「０」であった場合、該デジタル音楽データはネットワークＮを介した配信が許諾されたものでないと判断し、出力回路２１４に対して、デジタル音楽データの出力を停止する旨の指示を出力する。
【０１６５】
また、埋込データ判定部２１３は、埋込データデコーダ２１２から入力された埋込データの第１ビットが「１」であった場合、該デジタル音楽データは配信が許諾されたデータであると判断する。ここで、埋込データ判定部２１３は、埋込データの第２，第３ビットの判定を行う。上記表２に示すように、埋込データの第２，第３ビットはデジタル音楽データの複製に関する制限を示し、「００」は複製に制限がないことを示し、「１０」は一世代に限って複製が許諾されていることを示し、「１１」は複製が許諾されていないことを示す。
【０１６６】
そして、埋込データ判定部２１３は、埋込データデコーダ２１２から入力された埋込データの第２，第３ビットが「１１」であった場合は、出力回路２１４に対してデジタル音楽データの出力を停止する旨の指示を出力するとともに、埋込データ書換部２０９に対して、デジタル音楽データの記録を行わない旨の指示を出力する。
【０１６７】
また、埋込データ判定部２１３は、埋込データデコーダ２１２から入力された埋込データの第２，第３ビットが「１０」であった場合、該デジタル音楽データは一世代に限って複製が許諾されたデータであるから、出力回路２１４に対してデジタル音楽データを出力する旨の指示を出力するとともに、埋込データ書換部２０９に対して、埋込データの第２，第３ビットを「Ｎｏ　Ｍｏｒｅ　Ｃｏｐｙ」を示す「１１」に書き換える旨の指示と、デジタル音楽データを記録する旨の指示とを出力する。
【０１６８】
さらに、埋込データ判定部２１３は、埋込データデコーダ２１２から入力された埋込データの第２，第３ビットが「００」であった場合、該デジタル音楽データは複製が制限されないデータであるから、出力回路２１４に対してデジタル音楽データを出力する旨の指示を出力するとともに、埋込データ書換部２０９に対して、デジタル音楽データを記録する旨の指示を出力する。
【０１６９】
そして、出力回路２１４は、埋込データ判定部２１３からデジタル音楽データを出力する旨の指示が入力された場合にのみ、埋込データデコーダ２１２から入力されるデジタル音楽データを出力回路２０８へ出力する。
【０１７０】
出力回路２０８は、受信データデコーダ２０７および出力回路２１４から入力されるデジタル音楽データを埋込データ書換部２０９へ出力する。
【０１７１】
一方、メディアドライブ２１５は、ＣＤ−ＲＯＭ、ＤＶＤ−ＲＯＭ等のパッケージ販売される読み取り専用の記録媒体や、ＣＤ−Ｒ、ＣＤ−ＲＷ、ＤＶＤ−Ｒ、ＤＶＤ−ＲＡＭ等の光ディスク型記録媒体、スマートメディア、コンパクトフラッシュ（登録商標）、ＳＤメモリカード、マルチメディアカード、メモリースティック等の半導体メモリデバイスを利用した記録媒体、ハードディスク装置等の磁気記録媒体のような追記可能な記録媒体から、デジタル音楽データを読み取る装置である。なお、メディアドライブ２１５は、データ受信・記録装置２０の外部の機器を接続するためのインターフェースを備え、このインターフェースを介して接続された機器に内蔵される上記記録媒体からデジタル音楽データを読み取るものとしても良い。
【０１７２】
メディアドライブ２１５は、上記の記録媒体からデジタル音楽データを読み出して、デジタルデータ入力部２１６に出力する。
デジタルデータ入力部２１６は、メディアドライブ２１５から入力されるデジタル音楽データを、埋込データデコーダ２１７へ出力する。なお、メディアドライブ２１５から入力されたデジタル音楽データがＭＰ３等の形式により圧縮されている場合には、デジタルデータ入力部２１６は、非圧縮方式への変換等の処理を行った上でデジタル音楽データを埋込データデコーダ２１７へ出力することも可能である。
【０１７３】
埋込データデコーダ２１７は、デジタルデータ入力部２１６から入力されるデジタル音楽データを出力回路２１９へ出力するとともに、該デジタル音楽データに埋め込まれた埋込データを検出してデコードし、埋込データ判定部２１８へ出力する。
【０１７４】
埋込データ判定部２１８は、埋込データデコーダ２１７から入力された埋込データの判定を行い、埋込データの第２，第３ビットの判定を行う。上記表２に示すように、埋込データの第２，第３ビットはデジタル音楽データの複製に関する制限を示し、「００」は複製に制限がないことを示し、「１０」は一世代に限って複製が許諾されていることを示し、「１１」は複製が許諾されていないことを示す。
【０１７５】
そして、埋込データ判定部２１８は、埋込データデコーダ２１７から入力された埋込データの第２，第３ビットが「１１」であった場合は、出力回路２１９に対してデジタル音楽データの出力を停止する旨の指示を出力するとともに、埋込データ書換部２０９に対して、デジタル音楽データの記録を行わない旨の指示を出力する。
【０１７６】
また、埋込データデコーダ２１７から入力された埋込データの第２，第３ビットが「００」であった場合、該デジタル音楽データは複製が制限されないデータである。しかしながら、メディアドライブ２１５にパッケージ販売用の記録媒体でがセットされている場合、複製が制限されないことは想像し難い。
【０１７７】
さらに、メディアドライブ２１５にセットされた記録媒体が追記可能な記録媒体であった場合、複製が制限されていないデジタル音楽データが合法的に入手され、記録されたかものである可能性は非常に低い。このため、埋込データ判定部２１８は、埋込データの第２，第３ビットが「００」であった場合、出力回路２１９に対してデジタル音楽データの出力を停止する旨の指示を出力するとともに、埋込データ書換部２０９に対して、デジタル音楽データの記録を行わない旨の指示を出力する。
【０１７８】
さらに、埋込データ判定部２１８は、埋込データデコーダ２１７から入力された埋込データの第２，第３ビットが「１０」であった場合、該デジタル音楽データは一世代に限って複製が許諾されたデータであるから、出力回路２１９に対してデジタル音楽データを出力する旨の指示を出力するとともに、埋込データ書換部２０９に対して、埋込データの第２，第３ビットを「１１」に書き換える旨の指示と、デジタル音楽データを記録する旨の指示とを出力する。
【０１７９】
そして、出力回路２１９は、埋込データ判定部２１８からデジタル音楽データを出力する旨の指示が入力された場合にのみ、埋込データデコーダ２１７から入力されるデジタル音楽データを埋込データ書換部２０９へ出力する。
【０１８０】
埋込データ書換部２０９は、ＤＲＭ処理部２０５、埋込データ判定部２１３または埋込データ判定部２１８から、デジタル音楽データを記録する旨の指示が入力された場合にのみ、出力回路２０８または出力回路２１９から入力されたデジタル音楽データを記録部２１０へ出力する。
【０１８１】
また、埋込データ書換部２０９は、埋込データ判定部２１３または埋込データ判定部２１８から、埋込データの第２，第３ビットを「１１」に書き換える旨の指示が入力された場合には、出力回路２０８または出力回路２１９から入力されたデジタル音楽データについて、埋込データを「１１」に書き換える処理を行った上で、該デジタル音楽データを記録部２１０へ出力する。
【０１８２】
記録部２１０は、ＭＤ、ＭＯディスク、ＣＤ−Ｒ、ＣＤ−ＲＷ、ＤＶＤ−Ｒ、ＤＶＤ−ＲＡＭ等の光ディスク型記録媒体、スマートメディア、コンパクトフラッシュ（登録商標）、ＳＤメモリカード、マルチメディアカード、メモリースティック等の半導体メモリデバイスを利用した記録媒体、ハードディスク装置等の磁気記録媒体、あるいはこれらの記録媒体を内蔵する機器など、記録可能な媒体や機器にデジタルデータを記録する装置であり、埋込データ書換部２０９から入力されたデジタル音楽データを、上記媒体や機器に記録する。
【０１８３】
なお、記録部２１０は、上記の媒体や機器のように可搬性を有し、データ受信・記録装置２０から取り外して利用可能な媒体や機器にデジタル音楽データを記録するもののほか、データ受信・記録装置２０に内蔵される記録媒体にデジタル音楽データを記録するものとしても良い。
【０１８４】
すなわち、データ受信・記録装置２０が、デジタル音楽データの記録のみならず、一時的にデジタル音楽データを記憶した上で該デジタル音楽データの再生やネットワークＮを介した配信等を行うことが可能な機器である場合、データ受信・記録装置２０は、デジタル音楽データを一時的に記憶するための光学的記録媒体、磁気記録媒体、もしくは半導体メモリデバイスを利用した記録媒体を内蔵する。この場合、データ受信・記録装置２０が内蔵する記録媒体に対するデジタル音楽データの記録を、ＤＲＭ処理部２０５および埋込データ判定部２１３の制御に従って、記録部２１０によって実行させることも可能である。
【０１８５】
従って、データ受信・記録装置２０が、デジタル音楽データを記録可能な記録媒体を内蔵する場合においては、該記録媒体に対して、ネットワーク接続端子２０１から入力されたデジタル音楽データを無条件に記録するものとしても良く、ＤＲＭ情報もしくは埋込データにより指定された制限に準じてデジタル音楽データを記録するものとしても良い。
【０１８６】
このように、配信装置１１によってネットワークＮを介して配信されるデジタル音楽データに対し、複製に関する制限を示す埋込データを埋め込んでおくことで、デジタル音楽データを記録するデータ受信・記録装置２０は、ネットワークＮを介して受信したデジタル音楽データに埋め込まれた埋込データを判定し、埋込データにより複製が許諾されている場合に限り、デジタル音楽データを記録する。
【０１８７】
これにより、ネットワークＮを介して配信されたデジタル音楽データの記録、すなわち複製を埋込データによってコントロールすることができ、著作権の保護に準じたデジタル音楽データの複製を制限することなく、著作権を無視した複製のみを確実に防止できる。
【０１８８】
また、データ受信・記録装置２０は、メディアドライブ２１５によって読み取ったデジタル音楽データを、埋込データにより複製が許諾されている場合に限り、記録部２１０によって記録する。これにより、デジタル音楽データの記録、すなわち複製を埋込データによってコントロールすることができ、著作権の保護に準じたデジタル音楽データの複製を制限することなく、著作権を無視した複製のみを確実に防止できる。
【０１８９】
特に、データ受信・記録装置２０においては、埋込データによって一世代に限り複製が許諾されているデジタル音楽データについては、該デジタル音楽データが記録される際に、埋込データ書換部２０９によって埋込データが書き換えられる。このため、「Ｏｎｅ　Ｇｅｎｅｒａｔｉｏｎ　Ｃｏｐｙ　Ｐｅｒｍｉｔｔｅｄ」を示す埋込データが埋め込まれたデジタル音楽データは、記録部２１０により記録された時点で、埋込データが「Ｎｏ　Ｍｏｒｅ　Ｃｏｐｙ」に書き換えられるので、一世代の複製が行われたデジタル音楽データについては、その後の複製が禁じられる。
【０１９０】
さらに、記録部２１０により記録されたデジタル音楽データが、データ受信・記録装置２０もしくは他の機器によってネットワークＮを介して配信されることがあっても、一世代に限って複製が許諾されたデジタル音楽データについては、埋込データの第２，第３ビットが「Ｎｏ　Ｍｏｒｅ　Ｃｏｐｙ」を示す「１１１」に書き換えられているので、さらに複製されることがない。このため、複製が制限されたデジタル音楽データが制限に反して繰り返し複製されるのを防止できる。
【０１９１】
また、データ受信・記録装置２０は、ネットワークＮを介して受信したデジタル音楽データが、配信が許諾されていないデータであった場合は、再生出力を行わない。これにより、パッケージメディアからのコピー等により作成され、ネットワークを介した配信が正規に許諾されていないデータが、ネットワークＮを介して送信された場合は、その記録を行わないので、著作権を無視した不正なデータが際限なく利用されることがない。
【０１９２】
従って、埋込データで指示される複製の制限が無視されることなく確実に遵守され、著作権の保護に準じたデジタル音楽データの複製を制限することなく、著作権を無視した複製のみを確実に防止できる。
【０１９３】
また、データ受信・記録装置２０は、相互認証部２０３によって認証処理を経て入力されたデジタル音楽データについては、ＤＲＭ処理部２０５でＤＲＭ情報の内容を解析することで、該デジタル音楽データに付加されたＤＲＭ情報に基づく再生処理を行う。このため、著作権の保護に対応するデジタル音楽データについては問題なく記録することができる。
【０１９４】
なお、以上の実施の形態における記述内容は、本発明に係る配信システムの好適な一例であり、本発明はこれに限定されるものではない。
例えば、本実施の形態では、ネットワークＮに接続された配信装置１１から配信されるデジタル音楽データを受信し、再生もしくは記録するとしたが、これに限らず、例えばインターネットのようなオープンなネットワークに接続された他のサーバ装置から受信したデジタル音楽データを処理するものとしても良いし、あるいは、ピア・ツー・ピア型ネットワークにより接続された相手先コンピュータから受信したデジタル音楽データを処理するものとしても良く、その他の具体的構成についても適宜に変更可能であることは勿論である。
【０１９５】
【発明の効果】
本発明によれば、コンテンツデータに含まれる電子透かし情報により指定された配信に関する制限、および複製に関する制限が、無視されることなく確実に遵守され、著作権の保護に準じたデジタル音楽データの複製を制限することなく、著作権を無視したコンテンツデータの利用を確実に防止できる。
【図面の簡単な説明】
【図１】本発明を適用した第１の実施の形態における配信システム１の構成を示す図である。
【図２】図１に示すデータ受信・再生装置１３の機能的構成を示すブロック図である。
【図３】図１に示すデータ受信・記録装置１５の機能的構成を示すブロック図である。
【図４】図１に示すデータ読取・記録装置１７の機能的構成を示すブロック図である。
【図５】図１の配信システム１における再生処理を示すフローチャートである。
【図６】図１の配信システム１における記録処理を示すフローチャートである。
【図７】本発明を適用した第２の実施の形態におけるデータ受信・記録装置２０の機能的構成を示すブロック図である。
【符号の説明】
１　配信システム
１１　配信装置
１３　データ受信・再生装置
１５，２０　データ受信・記録装置
１７　データ読取・記録装置
１３１，１５１，２０１　ネットワーク接続端子
１３２，１５２，２０２　通信制御部
１３３，１５３，２０３　相互認証部
１３４，１５４，２０４　暗号解読部
１３５，１５５，２０５　ＤＲＭ処理部
１３６，１４１，１５６，１５８，１６４，１７５，２０６，２０８，２１４，２１９　出力回路
１３７，１３８，１５７，１６１，２０７，２１１　受信データデコーダ
１３９，１６２，１７３，２１２，２１７　埋込データデコーダ
１４０，１６３，１７４，２１３，２１８　埋込データ判定部
１４２　Ｄ／Ａコンバータ
１４３　アナログ出力端子
１５９，１７６，２０９　埋込データ書換部
１６０，１７７，２１０　記録部
１７１，２１５　メディアドライブ
１７２，２１６　デジタルデータ入力部
【図１】
2004139646.tif 000005
【図２】
2004139646.tif 000006
【図３】
2004139646.tif 000007
【図４】
2004139646.tif 000008
【図５】
2004139646.tif 000009
【図６】
2004139646.tif 000010
【図７】
2004139646.tif 000011